(57)【要約】  本発明は、情報を多層記録担体に記録する方法に関する。情報は、記録担体がＤＶＤ−ＲＯＭに適合するとともにセッションの完了及び／又はディスクの完結に要する時間を減少するように、特別な充填パターンに従って記録担体に記録される。情報は、予め規定された量の格納スペースのブロックで層上にほぼ均等に分配される。これらブロックのサイズは、柔軟であり、かつ、方法によって設定され又は記録担体から読み出される。
2007503074.tif 000002
【特許請求の範囲】
【請求項１】
情報を多層記録担体に記録する方法であって、前記記録担体が、情報を記録する少なくとも二つの情報層を具え、前記少なくとも二つの情報層に格納される情報量が、予め規定された情報量未満だけ層間で異なるように、記録される情報が、分布パターンに従って前記少なくとも二つの情報層に亘って分布することを特徴とする方法。
【請求項２】
前記情報が、各々が予め規定された量の情報を保持する連続的なブロックに記録され、二つの連続的なブロックが同一情報層に記録されないように前記分布パターンを設定することを特徴とする請求項１記載の方法。
【請求項３】
少なくとも二つの情報層に記録された情報を保持する領域が、上方にあることを特徴とする請求項１記載の方法。
【請求項４】
予め規定された情報量が、少なくとも二つの情報層の一方で利用できる格納スペースの総量より著しく小さいことを特徴とする請求項１又は２記載の方法。
【請求項５】
前記方法が、
予め規定された量の情報を保持する前記ブロックのサイズを設定する初期化ステップと、
前記情報が前記少なくとも二つの情報層に交互に記録されるように、情報を前記少なくとも二つの情報層に記録する連続的な記録ステップとを具え、前記記録ステップが、予め規定された量の情報を保持するブロックが充填されるまで情報を層に記録するステップと、前記少なくとも二つの情報層の他の層に情報を記録するステップとを具えることを特徴とする請求項２記載の方法。
【請求項６】
前記初期化ステップにおいて、前記予め規定された量の情報を保持するブロックのサイズを表す値を、前記記録担体から読み出し、前記予め規定された量の情報を保持するブロックのサイズを、読出し値に応じて設定することを特徴とする請求項５記載の方法。
【請求項７】
前記方法が、前記予め規定された量の情報を保持するブロックの設定サイズを表す値を、前記記録担体に記録する他のステップを具えることを特徴とする請求項６記載の方法。
【請求項８】
前記予め規定された量の情報を保持するブロックのサイズを、格納される情報量、格納される情報を前記方法に適用するやり方、又は前記情報を提供するアプリケーションのタイプに応じて設定することを特徴とする請求項５記載の方法。
【請求項９】
情報を多層記録担体に記録する方法であって、前記記録担体が、前記情報を格納する少なくとも二つの情報層を具え、
予め規定された量の情報を保持する第１ブロックのサイズを設定する第１初期化ステップと、前記情報が前記少なくとも二つの情報層で交互に記録されるように、第１記録セッションにおいて前記情報を前記少なくとも二つの情報層に記録する第１記録ステップとを具え、前記第１記録ステップが、前記予め規定された量の情報を保持する第１ブロックが充填されるまで前記情報を層に記録するステップと、前記少なくとも二つの情報層の異なる層に情報を記録するステップとを具え、
前記予め規定された量の情報を保持する第２ブロックのサイズを設定する第２初期化ステップと、第２記録セッションにおける第２記録ステップとを具え、前記第２記録ステップが、前記予め規定された量の情報を保持する第２ブロックが充填されるまで前記情報を層に記録するステップと、前記少なくとも二つの情報層の異なる層に前記情報を記録するステップとを具えることを特徴とする方法。
【請求項１０】
情報を多層記録担体に記録する記録装置であって、前記記録担体が、前記情報を記録する少なく二つの情報層を具え、前記装置が、請求項１から９のうちのいずれか１項に記載の方法を実施するように適合されたことを特徴とする前記記録装置。
【請求項１１】
情報を格納する少なくとも二つの情報層を具える多層記録担体であって、前記記録担体が、前記情報を前記記録担体に記録する記録プロセスを表すパラメータ値を保持する領域を具える多層記録担体において、前記領域が、予め規定された量の情報を保持するブロックのサイズを表す値を具え、前記予め規定された量の情報を保持するブロックのサイズを表す値が、請求項６又は７記載の方法で用いられることを特徴とする多層記録担体。
【発明の詳細な説明】
【技術分野】
【０００１】
本発明は、多層記録担体に情報を記録する方法に関する。特に、本発明は、２層記録型ＤＶＤをＤＶＤ−ＲＯＭプレーヤで再生できるようにこのディスクに情報を記録する方法に関する。さらに、本発明は、本発明による方法によって用いられる記録担体に関し、前記記録担体は、情報記録用の少なくとも二つの情報層を具える。
【背景技術】
【０００２】
記録型ＤＶＤの記録担体に情報を記録した後、記録担体を現存の再生装置に適合するために特定の動作を行う必要がある。記録型ＤＶＤ記録担体をＤＶＤ−ＲＯＭに適合させて、記録型ＤＶＤ記録担体を任意のＤＶＤ−ＲＯＭプレーヤで再生できるようにする必要があるとき、ダミーデータを、ＤＶＤ−ＲＯＭ仕様に従って書込みのない領域に充填する必要がある。この理由は、情報を保持する情報層とは反対側の情報層が書込み情報を有しない記録担体に対して、大抵のＤＶＤプレーヤが処理を行うことができないからである。これを、セッションを完了し及び／又はディスクを完結するときに行う必要がある。
【０００３】
ＯＰＴ型(Opposite Track Path)ＤＶＤ記録担体（記録型、再書込み型及び読み出し専用ディスク）にデータを記録するのに利用できる全サイズは、ミドルゾーンのロケーションに依存する。書き込むべき情報量が予め知られているとき、ミドルゾーンのロケーションを書込み前に決定することができる。しかしながら、予め知らないサイズの情報を、２層記録型ＤＶＤ記録担体に書き込む必要があるとき、ミドルゾーンのロケーションを、好適には、最大に許容された位置に配置すべきであり、その結果、最大の記憶スペースとなる。ミドルゾーンを最大の許容された位置に配置することの欠点は、ダミーデータの充填時間量を要する点である。
【０００４】
図１Ａは、層（層１）のデータゾーン全体にダミーデータを充填する必要があるワーストケース状況の一例を示す。図１Ａの層０のような第１の層の完全に利用できるデータゾーンスペースに情報が書き込まれるとき、記録型ＤＶＤ−ＲＯＭに従うために図１Ａの層１のような第２の層の完全に利用できるデータゾーンにダミーデータを充填する必要がある。これは、著しい時間量を要する。
【発明の開示】
【０００５】
本発明の目的は、現存する再生装置、特に、ＤＶＤ−ＲＯＭプレーヤに記録担体を適合させるのに要する時間量を最小まで減少するように情報を２層記録担体に配置する方法を提供することである。これによって、記憶すべき情報量を予め知る必要がない。
【０００６】
この目的は、多層記録担体の情報層に記録される情報を物理的に分配する記録中に特定の充填パターンを用いる方法を提供することによって達成される。この特定の充填パターンを用いることによって、セッションの完了又はディスクの完結に要求される時間量を著しく減少する。
【０００７】
本発明による方法において、予め規定された量の記憶スペースが充填される度に、記録がディスクの第１の情報層からディスクの第２の情報層に切り替えられる。これを、図２において線形的に示し、この場合、経路１及び３は書込みシーケンスを表し、経路２及び４は層の飛越しを表す。図１Ａ，１Ｂ及び２に示すような２層ディスクは、一般的に層０（Ｌ０）及び層１（Ｌ１）と称される二つの情報層を具える。Ｌ０層は、情報を読出し及び／又は記録するのに用いられるレーザビームのような放射ビームが入射するディスクの側に最も近接して配置された情報層である。駆動は、先ず、予め規定された量の情報（ブロック１）を層Ｌ０に書き込み、その後、予め規定された量の次の情報（ブロック２）を書き込むために層Ｌ１に切り替える。次に、ドライブは、以前に記録したブロック１の後方（ブロック３）に対して次の予め規定された量の情報を記録するために層Ｌ０に戻る。
【０００８】
記録担体に記録されるデータは、通常、７ファイルからなる。これらファイルの各々の論理的なデータは、ファイルシステムテーブルに記録される。例えば、ＤＶＤ記録担体がランダムアクセスメモリのように動作するので、記録担体に格納されたファイルのロケーションは、ファイルシステム中のこれらファイルの順番に依存しない。本発明による特別な充填パターンを用いて全ての層に亘って書き込まれる情報量のバランスをとることによって、層の各々に対して、ほぼ同一速度で充填が行われる。
【０００９】
本発明による方法の一例において、予め規定された情報量（すなわち、ブロックサイズ）を、固定量ではなく、方法それ自体によって可変に設定される量とする。本発明による方法の好適例において、このように予め規定された情報量（すなわち、ブロックサイズ）を特定する値が、記録担体それ自体から読み出される。
【００１０】
予め規定された情報量のサイズは、セッションを完了し及び／又はディスクを完結するのに要する時間に影響を及ぼす。予め規定された量の情報を保持する格納スペースのサイズが小さくなるに従って、セッションの完了及び／又はディスクの完結が速くなる。この理由は、これら完了及び／又は完結の際に記録する必要があるダミーデータの量が減少するからである。しかしながら、そのような小サイズの記憶スペースでは層の飛越し量が増大し、これによって、記録パフォーマンスに悪影響を及ぼすことがある。さらに、小ブロックサイズにより、記録担体を読み出すときのトラック飛越し（ある情報ブロックから他の情報ブロックへの飛越し）の回数が増大する。したがって、予め規定された量の情報を保持する格納スペースの最適サイズは、（連続的なビデオストリームの記録やデータファイルの記録のような）記録担体の使用のタイプに依存する。
【００１１】
本発明の上記例によれば、予め規定された量の情報のサイズ（すなわち、ブロックサイズ）は、記録担体の使用のタイプに応じて柔軟に設定される。この方法は、格納されるデータ量、格納されるデータを方法に適用するやり方（ストリーミング又はフラグメント化されたブロック）、又はアプリケーションに依存して自動的にサイズを設定することができる。また、ユーザは、予め規定された量の情報のサイズをマニュアルで設定する。
【００１２】
さらに、このサイズの予め規定された量の情報を、記録担体の全使用中に固定する必要がなく、本例によってセッション記録間に変更してもよい。例えば、第１の記録セッションを、予め規定された量の情報の第１のサイズによって記録し、それに続く第２の記録セッションを、予め規定された量の情報の第２のサイズによって記録することができ、第２のサイズは、第１のサイズと異なる。このようにして、単一の記録担体は、互いに相違するタイプの使用をサポートすることができる。
【００１３】
好適例によれば、方法は、予め規定された量の情報のサイズに関する情報を記録担体それ自体から読み出す。この情報を、記録プロセスを表すパラメータを具える記録担体のエリアにおいてパラメータとして記録担体に格納することができる。記録担体の使用のタイプが固定され及び／又は予め規定された量の情報の好適なサイズが予め知られているときには、この情報を記録担体に予め記録することができる。予め規定された量の情報のサイズに関する情報を、方法それ自体によって記録担体に記録することができる。例えば、予め規定された量の情報の選択されたサイズは、次の記録セッションで再使用する際に記録担体に格納される。
【発明を実施するための最良の形態】
【００１４】
本発明の実施の形態を、添付図面を参照して更に詳細に説明する。
ＤＶＤ−ＲＯＭフォーマット仕様は、ミドルゾーンと識別された領域にデータを充填する必要がないことを記述する。ミドルゾーンが最大位置より前の位置に配置されると、図１Ｂに示すように、ダミーデータを充填する必要があるスペースが少なくなる。書き込まれる情報量が予め知られているとき、ミドルゾーンのロケーションを書込み前に決定することができる。しかしながら、そうでない場合、本発明による特定の充填パターンを用いて、達成しうるユーザスペースと必要な完了時間との間の最適なバランスをとることができる。
【００１５】
本発明による方法の一実施の形態を、図３を参照して説明し、この場合、種々の記録担体状態を、方法の種々のステップ中に示し、特別な充填パターンは、経路のシーケンスによって表される。
【００１６】
空の２層記録担体から開始するステップ１（図３Ａ）
−  記録中、記録担体は、オープンセッションとして取り扱われ、その結果、セッションが完了するまでファイルシステム（ＦＳ）に書込みが行われる。
−  ミドルゾーンロケーションは、最大ロケーションに対して仮想的に配置され、したがって、最大の格納スペース量を提供する。
【００１７】
ステップ２（図３Ｂ）
−  ファイル（１，２及び３）が記録担体に書き込まれる。これらのファイルは順次書き込まれる（経路ａ）。図３のファイいるが同一サイズを有するとしても、実際に書き込まれるファイルは、サイズが変動してもよい。
【００１８】
ステップ３（図３Ｃ）
−  予め規定された量の記憶スペースが充填されると、次のファイルの書込みが、層０でストップするとともに層１で継続する（経路ｂ）。予め規定された量の情報を保持するこの格納スペースは、セッションを完了し及び／又はディスクを完結する際にパッディングすべき（すなわち、ダミーデータを書き込むべき）最大量のスペース（すなわち、ワーストケース状況）である。単一層が４．７ギガバイトまで保持することができる記録型ＤＶＤに対して、予め規定された量の情報を保持する格納スペースのサイズを、好適には１％（約５０メガバイト）から１０％（約５００メガバイト）の範囲とする。予め規定された領域のサイズを、単一層で利用できる記憶スペースの総量より少なくとも著しく小さくする必要がある。
【００１９】
−  次のファイル（４，５，６及び７）が層１に順次書き込まれる（経路ｃ）。
−  本例の２層記録担体がＯＰＴ(Opposite track Path)型であるので、層０の書込み方向（経路ａ）は、層１の書込み方向（経路ｃ）とは逆になる。
【００２０】
ステップ４（図３Ｄ）
−  予め規定された量の情報を層１に保持する格納スペースに対する充填が行われ、又は次に書き込まれるファイル（８）が残りのスペースに適合しないとき、書込みは層０で再び継続する（経路ｄ）。
−  次のファイル（８，９，１０及び１１）は、予め規定されたロケーションに到達するまで層０に順次書き込まれる（経路ｅ）。
【００２１】
ステップ５（図３Ｅ）
−  書込みプロセスは、層１で再び継続する（経路ｆ）。
−  次のファイル（１２，１３，１４及び１５）は、層１に順次配置される（経路ｇ）。
【００２２】
現在の書込み動作を終了すると、記録すべき別のファイル（１６）を、次に利用できるユーザスペースに配置することができる（経路ｈ）。
【００２３】
本発明による方法の一実施の形態において、並列トラック経路（ＰＴＰ）アドレス指定モードを用いて記録担体に情報を記録するために、他の特別な充填パターンが用いられる。ＰＴＰアドレス指定モードを用いたそのような記録担体において、各層は、ディスクの内径から外径までの範囲にアドレスを有する。両方の層は、それ自体のリードイン領域及びリードアウト領域を有する。ＯＰＴ型記録担体におけるようなミドルゾーンが存在しない。本実施の形態のステップを、図４を参照して説明する。
【００２４】
−  書込みを開始する際のファイルシステムスペース（ＦＳ）を保持する。
−  予め規定された位置に到達するまで（すなわち、予め規定された量の情報を保持する格納スペースが充填されるまで）、情報を層０に書き込む。ファイル（１，２及び３）が順次書き込まれる（経路ａ）。
−  第１の層飛越し（経路ｂ）後、次のファイル（４，５，６及び７）を層１に書き込む（経路ｃ）。
−  層１の予め規定された位置に到達すると、第２の層飛越し（経路ｄ）の後に書込みが層０で再び継続する（経路ｄ）。
【００２５】
本発明による方法は、２層記録担体での使用だけでなく、２を超える情報層を具える多層記録担体での使用にも適している。そのような多層記録担体は、ＯＴＰアドレス指定モードとＰＴＰアドレス指定モードのうちのいずれでも使用することができる。そのような多層ディスクで使用される特別な充填パターンは、２層ディスクに対して既に説明したものに対応する。図５は、ＯＴＰアドレス指定モード（図５Ａ）又はＰＴＰアドレス指定モードでｎ層からなる多層記録担体を使用する本発明による方法の実施の形態を示す。
【００２６】
ＯＴＰ型多層記録担体に対して、各層のアドレス範囲が、以前の層に対して逆方向にあると仮定する。この場合、充填は、最下位層（層０）から最後の層（層ｎ）まで行われる。連続的なブロック（すなわち、予め規定された量の情報を保持する格納スペース）が、以下の特別な充填パターン（すなわち、経路のシーケンス）に従って図５Ａに示すように層に記録される。
ａ→ｂ→ｃ→ｄ→ｓ→ｔ→ｕ→ｖ→ｅ→ｆ→ｇ→ｈ→ｗ→ｘ→ｙ→ｚ
最上層（層ｎ）に到達する度に、情報の連続的なブロックが、飛越し（それぞれ経路ｖ及び経路ｚ）後に最下位層（層０）に書き込まれる。
【００２７】
多層のＰＴＰ型記録担体（図５Ｂ）に対して、各層に対するアドレス範囲は、以前の層と同一方向である。この場合も、充填は、最下位層（層０）から最後の層（層ｎ）までのこぎりパターンのような形状で行われる。この場合、連像的なブロック（すなわち、予め規定された量の情報を保持する格納スペース）が、図５Ｂに示すような特別な充填パターンによって層に記録される。
ａ→ｂ→ｃ→ｄ→ｓ→ｔ→ｕ→ｖ→ｅ→ｆ→ｇ→ｈ→ｗ→ｘ→ｙ→ｚ
この場合も、最上層（層ｎ）に到達すると、次のファイルが、飛越し（それぞれ経路ｖ及び経路ｚ）後に最下位層（層０）に書き込まれる。
【００２８】
本発明による特別な充填パターンを適用することによって、利用できる最大のユーザスペースを記録担体上で最大限に利用することができ、かつ、セッションを完了し又はディスクを完結するのに要する時間量を最小にすることができる。例えば、記録型ＤＶＤが、本発明による充填パターンを用いて書込みされる場合、そのようなＤＶＤは、現存するＤＶＤ−ＲＯＭ規格に十分適合し、ＤＶＤ−ＲＯＭプレーヤを含む任意の規格のＤＶＤプレーヤによって読み出されることができる。
【００２９】
図６は、本発明による充填パターンストラテジ又は従来の順次の充填を用いたときの完了又は完結のベストケース状況及びワーストケース状況を比較する表を示す。ベストケース状況において、いずれの場合も完了／完結時間を必要としない。順次の充填に対して、データ領域全体が用いられ、パディング（すなわち、ダミーデータの書込み）に対して余分な充填時間が要求されない。本発明による特別な充填パターンを用いる場合、書込みシーケンスｇの後にセッション／ディスクが完了／完結し、この場合もパディングを実行する必要がない。しかしながら、ワーストケース状況において、本発明による方法を適用したときに、完了／完結に要する時間を著しく減少する。従来の順次の充填に対して、完了／完結時間は、層全体を記録するのに必要な時間に等しい。利用できるディスク容量の半分を用いる（すなわち、一方の層のみが記録される）とき、ディスク容量の他の半分（すなわち、他方の層）に対してパディングする（すなわち、ダミーデータを書き込む）必要がある。ここで、本発明による特別な充填パターンを用いると、完了／完結時間は、予め規定された量の情報を保持する格納スペースにダミーデータを記録するのに必要な時間にしか等しくならない。層１の全記録領域より著しく小さい、予め規定された量の情報を保持する格納スペースのサイズを有する層１の領域にパディングして、ディスクをＤＶＤ−ＲＯＭに適合する必要がある。単一層が４．７ギガバイトまで保持することができる記録型ＤＶＤに対して、予め規定された記録領域のサイズを、好適には、５０メガバイトから５００メガバイトまでの（すなわち、単一層で利用できる格納スペースの総量より著しく少ない）範囲とすべきである。
【図面の簡単な説明】
【００３０】
【図１】図１Ａは、層（層１）のデータゾーン全体にダミーデータを充填する必要があるワーストケース状況の一例を示し、図１Ｂは、ミドルゾーンが最大位置より前の位置に配置された場合を示す。
【図２】予め規定された量の記憶スペースが充填される度に記録がディスクの第１の情報層からディスクの第２の情報層に切り替えられる状況を線形的に示す。
【図３】本発明による方法の実施の形態のステップを示す。
【図４】本発明による方法の実施の形態のステップを示す。
【図５】ＯＴＰアドレス指定モード（図５Ａ）又はＰＴＰアドレス指定モード（図５Ｂ）でｎ層からなる多層記録担体を使用する本発明による方法の実施の形態を示す。
【図６】本発明による充填パターンストラテジ又は従来の順次の充填を用いたときの完了又は完結のベストケース状況及びワーストケース状況を比較する表を示す。
【図１】
2007503074.tif 000003
【図２】
2007503074.tif 000004
【図３】
2007503074.tif 000005
【図４】
2007503074.tif 000006
【図５】
2007503074.tif 000007
【図６】
2007503074.tif 000008
【国際調査報告】
2007503074.tif 000009
2007503074.tif 000010
2007503074.tif 000011